(57)【要約】【課題】可動ルーバのフィンにより空気吹出し口を閉鎖したとき、全てのフィンを良好に閉鎖することができる空気吹出調整用レジスタを提供する。【解決手段】フィン５が所定のピッチ間隔で配置されて回動可能に枢支される。各フィン５の連結軸５ｄが連結部材６の長手方向に沿って形成された軸孔６ａに各々連結される。操作ノブ７付きの操作フィン１５の連結軸５ｄに連結された軸孔６ａを境界として、閉鎖時に移動する際に連結部材６の移動側に位置する軸孔６ａのピッチ間隔Ｐ１が、フィン５のピッチ間隔Ｐより大きく設定され、連結部材６の反移動側に位置する軸孔６ａのピッチ間隔Ｐ２が、フィン５のピッチ間隔Ｐより小さく設定される。【選択図】図８
2007191100.tif 000002
【特許請求の範囲】
【請求項１】
空気吹出し口を設けたバレルがリテーナの内側に回動可能に枢支され、該バレルの内側に複数のフィンがバレルの回動軸と直交する回動軸により枢支され、該各フィンの内側に突設した連結部に１本の連結部材を介して複数のフィンが回動可能に連結され、略中央に位置する１つのフィンに操作ノブが設けられ、該操作ノブにより該フィンを該回動軸の回りで回動させて、空気吹出し口を閉鎖する空気吹出調整用レジスタにおいて、
該複数のフィンが所定のピッチ間隔で配置されて回動可能に枢支され、各フィンの連結部が該連結部材の長手方向に沿って形成された被連結部に各々連結され、該操作ノブ付きのフィンの連結部に連結された被連結部を境界として、閉鎖時に移動する際に該連結部材の移動側に位置する被連結部のピッチ間隔が、該複数のフィンのピッチ間隔より大きく設定され、該連結部材の反移動側に位置する被連結部のピッチ間隔が、該複数のフィンのピッチ間隔より小さく設定されたことを特徴とする空気吹出調整用レジスタ。
【請求項２】
前記操作ノブ付きのフィンの内側にストッパピンが突設され、該操作フィンを含む複数のフィンの閉鎖時に該ストッパピンが係合して閉鎖状態を保持するための係合部が、前記バレルの内側部分に設けられたことを特徴とする請求項１記載の空気吹出調整用レジスタ。
【請求項３】
前記バレルの内側には、上記各フィンの軸受部材が嵌着され、該軸受部材の一部に前記係合部が設けられたことを特徴とする請求項２記載の空気吹出調整用レジスタ。
【発明の詳細な説明】
【技術分野】
【０００１】
本発明は、自動車の車内等の換気や空調の空気吹出し口に使用されるバレル型の空気吹出調整用レジスタに関し、特に空気吹出し口をフィンにより閉鎖可能とした空気吹出調整用レジスタに関する。
【背景技術】
【０００２】
車内等の換気や空調の空気吹き出し口に使用する空気吹出調整用レジスタとして、矩形枠状のリテーナ内に、バレルを回動可能に枢支し、そのバレル内に複数のフィンを、バレルの回動軸と直角の回動軸により枢支し、フィンの１つに操作ノブを設けたレジスタが、下記特許文献１などで知られている。
【０００３】
このレジスタでは、各フィンが、その両側に突設された回動軸をバレルの軸受部に回動可能に嵌め込んで装着され、フィンの内側に突設した連結軸を、長尺の連結部材の連結部に回動可能に嵌め込んで組み付けられる。そして、各フィンが回動軸を軸に、相互に連携して開放位置から閉鎖位置まで連動して動くように動作する。
【０００４】
また、このレジスタは、バレルの回動軸を横方向に、フィンの回動軸を縦方向に向けて空気吹出し口に取り付けられ、風向を上下に変える場合は、操作ノブを持ってバレルを上下に可動させてその向きを上下に変え、風向を左右に変える場合は、操作ノブを持ってフィンの向きを左右に変えて、風向を左右に調整するように動作する。また、風の吹出しを遮断する場合は、操作ノブを操作して全フィンを閉鎖方向に回動限度まで回動させることにより、空気吹出し口を全てのフィンにより閉鎖して吹出しを遮断するように動作する。
【特許文献１】特開２０００−２５５２５６号公報
【発明の開示】
【発明が解決しようとする課題】
【０００５】
しかしながら、空気吹出し口をフィンにより閉鎖するこの種のレジスタでは、操作ノブを閉じる方向に操作して吹出し口を閉鎖したとき、全てのフィンが吹出し口の開口を閉鎖するように並び、吹出し口を隙間なく覆って閉鎖することになるが、製造時の部品寸法のばらつきなどにより、フィンとフィンの間に隙間が生じやすく、吹出し口を良好に閉鎖できにくいという課題があった。
【０００６】
すなわち、全てのフィンの形状、その回動軸や連結軸の位置、軸受部材の軸受部の位置、及び連結部材の連結部のピッチなどが誤差なく設計寸法通りに形成された場合、全てのフィンは完全に同期して開閉動作し、完全な閉鎖状態が得られるが、各フィン、連結部材、バレルなどの各部材は、合成樹脂の型成形により形成されるため、成形条件によって、各部分に寸法公差内の若干の寸法誤差が生じ、回動軸、連結軸の位置、或は連結部材の連結部の位置に寸法のばらつきが生じる場合がある。
【０００７】
このように、各フィンの形状、その回動軸、連結軸、軸受部材、または連結部材の連結部の位置に寸法のばらつきが生じている場合、一部のフィンが閉鎖状態となっても、他のフィンが閉鎖状態とならずに静止し、全閉操作時の空気吹出し口の閉鎖性能が悪化しやすい。特に、各フィンの連結軸を連結する連結部材は、細く長尺な合成樹脂製部品として成形されるため、長手方向に寸法誤差が生じ易く、連結部材の連結部と連結部のピッチ間隔に誤差が生じると、一方のフィンが完全に閉鎖した状態であっても、他方のフィンが閉鎖状態とならず、フィンとバレルの間に隙間が生じやすいという課題があった。また、操作ノブを操作してフィンを閉鎖したとき、操作ノブ付きフィンの回動力が連結部材を介してその他のフィンに伝達されるが、この操作ノブの操作によりフィンを押し込んで閉鎖し或はフィンを引き込んで閉鎖する際、連結部材に曲げ或いは伸縮方向に荷重がかかって撓み、伸び、或いは縮みが発生し、その撓み、伸び、縮みによっても、閉鎖操作時に、一部のフィンに閉鎖されないフィンが発生し、フィンとバレルの間に隙間が生じやすいという課題があった。
【０００８】
本発明は、上記の点に鑑みてなされたもので、可動ルーバのフィンにより空気吹出し口を閉鎖したとき、全てのフィンを良好に閉鎖することができる空気吹出調整用レジスタを提供することを目的とする。
【課題を解決するための手段】
【０００９】
上記目的を達成するために、本発明の空気吹出調整用レジスタは、空気吹出し口を設けたバレルがリテーナの内側に回動可能に枢支され、該バレルの内側に複数のフィンがバレルの回動軸と直交する回動軸により枢支され、該各フィンの内側に突設した連結部に１本の連結部材を介して複数のフィンが回動可能に連結され、略中央に位置する１つのフィンに操作ノブが設けられ、該操作ノブにより該フィンを該回動軸の回りで回動させて、空気吹出し口を閉鎖する空気吹出調整用レジスタにおいて、該複数のフィンが所定のピッチ間隔で配置されて回動可能に枢支され、各フィンの連結部が該連結部材の長手方向に沿って形成された被連結部に各々連結され、該操作ノブ付きのフィンの連結部に連結された被連結部を境界として、閉鎖時に移動する際に該連結部材の移動側に位置する被連結部のピッチ間隔が、該複数のフィンのピッチ間隔より大きく設定され、該連結部材の反移動側に位置する被連結部のピッチ間隔が、該複数のフィンのピッチ間隔より小さく設定されたことを特徴とする。
【００１０】
ここで、請求項２のように、上記操作ノブ付きのフィンの内側にストッパピンが突設され、上記バレルの内側部分に、該ストッパピンが該フィンの閉鎖時に係合して閉鎖状態を保持するための係合部を設けることができる。
【００１１】
また、請求項３のように、上記バレルの内側には、上記各フィンの回動軸を支持する軸受部材が嵌着され、該軸受部材の一部に上記係合部を設けることができる。
【発明の効果】
【００１２】
上記構成の空気吹出調整用レジスタでは、空気吹出し口を閉鎖する場合、操作フィンに設けられた操作ノブを操作して、それと連係する各フィンを、連結部材を介してその回動軸の回りで閉鎖方向に回動させる。このとき、連結部材は、長手方向に移動しながら、そこに連結された各フィンを引き込むように又は押し込むように回動させ、各フィンはその回動軸を軸に閉鎖方向に回動する。
【００１３】
このレジスタは、操作ノブ付きフィンの連結部に連結された被連結部を境界として、閉鎖時に移動する際の連結部材の移動側に位置する被連結部のピッチ間隔が、複数のフィンのピッチ間隔より大きく設定され、連結部材の反移動側に位置する被連結部のピッチ間隔が、複数のフィンのピッチ間隔より小さく設定されている。このため、連結部材の被連結部のピッチ間隔が製造時の寸法誤差により、仮に、連結部材の移動側に位置する被連結部のピッチ間隔の寸法誤差がフィンのピッチ間隔より短くなるように生じ、連結部材の反移動側に位置する被連結部のピッチ間隔の寸法誤差が長くなるように生じた場合であっても、或は、操作ノブによりフィンを閉鎖側に回動した際、連結部材にかかる荷重により連結部材に反り、伸び、或いは縮みなどの変形が生じたとしても、フィン閉鎖時の隙間の発生に影響する寸法誤差は解消され、吹出し口の閉鎖時には全てのフィンを良好に閉鎖して隙間の発生を防止することができる。
【００１４】
つまり、製造時の寸法誤差によって、連結部材の移動側に位置する被連結部のピッチ間隔が正規のピッチ間隔より短く、連結部材の反移動側に位置する被連結部のピッチ間隔より長くなると、フィンの閉鎖操作時に、連結部材の反移動側の部分が背面側に僅かに反り返り、或いは伸びるように変形し、また、連結部材の移動側に部分はその先端が正面側に向かうように僅かに反り返り、或いは縮むように変形する。このため、連結部材の反移動側に位置するフィン及び移動側に位置するフィンの閉鎖性が悪化して隙間が生じやすい。
【００１５】
しかしながら、本レジスタは、閉鎖時に移動する際の連結部材の移動側に位置する被連結部のピッチ間隔が、複数のフィンのピッチ間隔より大きく設定され、連結部材の反移動側に位置する被連結部のピッチ間隔が、複数のフィンのピッチ間隔より小さく設定されるから、連結部材に上記のような寸法誤差が生じている場合であっても、また、操作ノブによりフィンを閉鎖側に回動した際、連結部材にかかる荷重により連結部材に反り、伸び、或いは縮みなどの変形が生じたとしても、それらの変形による閉鎖性能の悪影響は解消され、全てのフィンを隙間なく閉鎖して空気吹出し口を良好に閉じることができる。
【発明を実施するための最良の形態】
【００１６】
以下、本発明の実施の形態を図面に基づいて説明する。図１は自動車の天井部等に配設されるバレル型の空気吹出調整用レジスタの正面図を示し、図２、図３、図４はその断面図を示し、図７はその分解斜視図を示している。
【００１７】
このレジスタは、空気吹出し口１０を設けたバレル１がリテーナ２の内側に回動可能に枢支され、バレル１の内側に、可動ルーバを構成する複数のフィン５が、バレル１の回動軸１ａと直交する回動軸５ａにより枢支される。さらに、複数のフィン５が相互に連結部材６を介し同期して回動可能に連結され、複数のフィン５の略中央に位置する１つに操作ノブ７が設けられて操作フィン１５が形成される。この操作ノブ７によりフィン５及び操作フィン１５を、その回動軸５ａの回りで回動させて、風向を調整し、また、空気吹出し口１０を閉鎖するように構成される。
【００１８】
図７の分解斜視図に示すように、バレル１は、内部に空間を有した略矩形枠状に形成され、バレル１の両側の壁部に、短尺の回動軸１ａが水平方向（横方向）両側に突設されている。バレル１は、同様に矩形枠状に形成されたリテーナ２の内側空間部に、その回動軸１ａをリテーナ２の両側壁部に設けた軸孔２ａに嵌入して組み付けられる。これにより、バレル１は、リテーナ２の内側で、その両側の回動軸１ａを軸に、所定の範囲で回動可能に組み付けられる。なお、一方の回動軸１ａには軟質合成樹脂製のブッシュ１ｂが軸孔２ａとの間にはめ込まれ、適度な操作荷重を付与している。リテーナ２の前面周縁部にはフランジ２ｂが設けられ、図示しない車室内の天井部などの通風口に外側から嵌め込むように取り付けられる。
【００１９】
バレル１の内側の上面と下面に段差部が水平方向に沿って形成され、その上下の段差部に、細長い帯状の軸受部材３が嵌着されている。これら上下の軸受部材３には、フィン５の回動軸５ａを嵌め込むために、所定のピッチ間隔（複数のフィン５の配置間隔ａ）をおいて軸孔３ａが並設され、各フィン５の上下の回動軸５ａはこれらの軸孔３ａに回動可能に嵌め込まれる。一方の回動軸５ａには、軟質合成樹脂製のブッシュがはめ込まれ、適度な操作荷重を付与している。
【００２０】
フィン５は、図５〜図７などに示すように、バレル１の内側の短手方向の幅に略等しい幅を有した矩形板を本体として形成され、フィン５の上端部と下端部には、回動軸用の支持部５ｂが背面側に突設され、その上下両側の支持部５ｂに、各々回動軸５ａが上下に向けて突設されている。支持部５ｂは、フィン本体の中心線から偏倚した位置に突設され、その支持部５ｂに回動軸５ａは突設される。つまり、フィン５の回動軸５ａは、図６のように、フィン５の矩形板状の本体の平面と平行な中心線及び平面と垂直な中心線の両方から外れた位置に偏倚して配置されている。バレル１内に組み付けられるフィンは、上記のように構成される例えば８個のフィン５と操作ノブ７を正面に設けた１個の操作フィン１５とからなり、図５のように、操作フィン１５は８個のフィン５の中央に配置されている。そして、図８のように、これらの操作フィン１５を含むフィン５（ここではフィンの連結軸５ｄ）が、所定のピッチ間隔Ｐをもって配置され、それらの上下両側を軸受部材３により回動可能に支持される。
【００２１】
さらに、フィン５の背面側には、図２のように、アーム部５ｃがフィン本体の右側に偏倚して突設され、そのアーム部５ｃの先端に連結部材用の連結軸５ｄが内側を向けて突設されている。そして、各フィン５の背面側のアーム部５ｃの先端に突設された連結軸５ｄには、１本の棒状の連結部材６が各フィン５を相互に連結するようにリンク結合される。連結部材６は略櫛状に形成され、各突出部の先端に軸孔６ａが穿設され、各軸孔６ａが各フィン５の連結軸５ｄに回動可能に嵌合される。
【００２２】
ここで、連結部材６の複数の軸孔６ａは、各部品に公差内の寸法誤差が生じた場合でも、確実にフィン５が閉鎖状態となるように、それらのピッチ間隔が図８に示す如く、フィン５のピッチ間隔Ｐに対し、僅かに長くまたは短く設定されている。つまり、図８に示すように、中央の操作フィン１５の連結軸５ｄに連結された軸孔６ａを境界として、閉鎖時に移動する際の連結部材６の移動側に位置する軸孔６ａのピッチ間隔Ｐ１が、フィン５のピッチ間隔Ｐより僅かに（０．１〜０．３ｍｍ）大きく設定され、連結部材６の反移動側に位置する軸孔６ａのピッチ間隔Ｐ２が、フィン５のピッチ間隔Ｐより僅かに（０．１〜０．４ｍｍ）小さく設定されている。例えば、長さ約１００ｍｍの連結部材であって、９個のフィンのために９個の軸孔を設けた連結部材では、フィンのピッチ間隔ａが例えば１４．９ｍｍの場合、閉鎖時に移動する際の連結部材６の移動側に位置する軸孔６ａのピッチ間隔Ｐ１は、１５．０〜１５．１ｍｍとし、連結部材６の反移動側に位置する軸孔６ａのピッチ間隔Ｐ２は、１４．６〜１４．８ｍｍに設定される。
【００２３】
このようなフィン５は、それらの回動軸５ａを上下の軸受部材３の軸孔３ａに嵌合して所定のピッチ間隔Ｐで組み付けられ、その状態で上下の軸受部材３がバレル１の背面側からバレル１の内側に嵌め込まれる。その後、バレル１の背面側からその内側に、方形枠状の枠体４が嵌め込まれる。
【００２４】
フィン５の回動軸５ａがフィン本体の平面に垂直な中央線より外側に偏倚し、且つフィン本体の平面と平行な中央線より裏面側に偏倚して設けることにより、フィン５の回動時にフィン５の前端部がバレル１の前面から突き出すことがなく良好に回動することができる。また、空気吹出し口１０の閉鎖時には、フィン５の外側面がバレル１の前面と略同一面を形成するように動き、バレル１の空気吹出し口１０の前面を、フィン５により面一状態として閉鎖するようにしている。
【００２５】
図１に示すように、略中央の操作フィン１５には、操作ノブ７がその左側前方に突き出すように突設される。また、操作フィン１５においてその前方に突出した操作ノブ７の内側には、段差部が設けられ、操作ノブ７の操作により操作フィン１５を閉鎖状態にしたとき、操作ノブ７の内側の段差部に隣接するフィン５が嵌合するようにしている。これにより、フィン５を閉鎖状態としたとき、全てのフィン５が面一状態となり且つその上に操作ノブ７が位置して、フィン５の面一閉鎖性を阻害せずに、操作ノブ７が良好な操作性でフィン５の正面に配置されるようにしている。
【００２６】
さらに、図１０に示すように、操作フィン１５の内側の側縁部には、ストッパピン５ｅが突設されている。このストッパピン５ｅは、閉鎖時の操作フィン１５の閉鎖位置を正確に保持するために、フィン１５の正確な閉鎖位置で軸受部材３の凸部３ｂに係合して停止するように、形成されている。また、このストッパピン５ｅは、操作フィン１５が閉鎖操作された際、軸受部材３の凸部３ｂを乗り越えることにより、使用者が節度感を生じるように作用するものである。図３，図８，図９に示すように、ストッパピン５ｅは、操作フィン１５以外のフィン５に設けることもでき、その場合、ストッパピン５ｅを設けたフィン５に隣接するフィン５の軸受部分に凸部３ｂを設ければよい。
【００２７】
上記構成の空気吹出調整用レジスタは、自動車の車室の天井側壁等に配設された通風ダクトの開口部に、そのリテーナ２を嵌め込み、水平方向（横方向）に取り付けられる。
【００２８】
通風ダクト内を空気が送られると、レジスタに達した空気は、各フィン５にガイドされ、フィン５の向く方向に空気が吹き出される。空気の吹出し方向を左右方向に調整する場合、操作ノブ７を持って操作フィン１５とそれに連係されるフィン５を左右に動かすように操作する。
【００２９】
このとき、各フィン５と操作フィン１５は、その上下の回動軸５ａを軸に左右に回動し、空気の吹出し方向を右方向、左方向、或は正面方向にと、任意の方向に回動し、風向を左右方向に調整することができる。また、空気の吹出し方向を上下方向に調整する場合、操作ノブ７を持ってバレル１を上下に動かす。このとき、バレル１は図４のように、その両側の回動軸１ａを軸に上下方向に回動し、バレル１内の空気吹出し口１０の向きが上下に変わることにより、風向を上下方向に調整することができる。
【００３０】
一方、空気吹出し口１０を閉じて空気の吹出しを遮断する場合、操作ノブ７を持って図２の左側に動かすと、操作フィン１５と連結部材６を介して連係される複数のフィン５が図２の反時計方向に回動し、図２、図１２のように、その回動端で、操作フィン１５のストッパピン５ｅが軸受部材３の凸部３ｂを乗り越え、その状態でストッパピン５ｅが係止されて保持され、各フィン５と操作フィン１５が閉鎖状態となって停止する。
【００３１】
このストッパピン５ｅが軸受部材３の凸部３ｂを乗り越える際、使用者には良好な節度感を生じさせることができ、その節度感によりフィンの閉鎖操作が容易となる。また、その際には、ストッパピン５ｅが凸部３ｂに続くバレル１の段差部との間の溝に嵌った状態となって停止し、保持されるため、閉鎖状態を良好に保持することができる。
【００３２】
このとき、各フィン５は、図２に示すように、その外側面がバレル１の前面と略面一状態となるように並列状態となり、恰も平板でバレル１前面を閉鎖するように、且つ各フィン間及びフィンとバレル間の隙間が最少となって、空気吹出し口１０が閉鎖される。
【００３３】
空気吹出し口１０を閉鎖する場合、操作ノブ７を操作して、操作フィン１５及びそれと連係する各フィン５を、連結部材６を介してその回動軸５ａの回りで閉鎖方向に回動させる。このとき、連結部材６は、図１２のように、その長手方向に移動しながら、操作フィン１５を境界として移動側の部分の軸孔６ａに連結された各フィン５を押し込むように動作し、その反移動側の部分の軸孔６ａに連結された各フィン５を引き込むように動作し、この連結部材６の移動に伴って、各フィン５はその回動軸５ａを軸に閉鎖方向に回動して閉鎖される。
【００３４】
このとき、連結部材６は、操作フィン１５の連結軸５ｄに連結された軸孔６ａを境界として、閉鎖時に移動する際に連結部材６の移動側に位置する軸孔６ａのピッチ間隔Ｐ１が、フィン５のピッチ間隔Ｐより僅かに大きく設定され、連結部材６の反移動側に位置する軸孔６ａのピッチ間隔が、フィン５のピッチ間隔Ｐより僅かに小さく設定されている。
【００３５】
このため、連結部材６の軸孔６ａのピッチ間隔が製造時の寸法誤差により、仮に、連結部材６の移動側に位置する軸孔６ａのピッチ間隔の寸法誤差がフィン５のピッチ間隔Ｐより僅かに短くなるように生じ、連結部材６の反移動側に位置する軸孔６ａのピッチ間隔の寸法誤差が僅かに長くなるように生じた場合であっても、或は、操作ノブ７によりフィン５及び操作フィン１５を閉鎖側に回動した際、連結部材６にかかる荷重により連結部材６に反り、伸び、或いは縮みなどの変形が生じたとしても、フィン閉鎖時の隙間の発生に影響する寸法誤差は、上記のピッチ間隔Ｐ１、Ｐ２の設定により解消される。
【００３６】
すなわち、製造時の寸法誤差によって、連結部材６の移動側に位置する軸孔６ａのピッチ間隔Ｐ１が正規のピッチ間隔Ｐより短く、連結部材６の反移動側に位置する軸孔ａのピッチ間隔Ｐ２が正規のピッチ間隔Ｐより長くなると、操作フィン１５の閉鎖操作時に、連結部材６の反移動側の部分が背面側に僅かに反り返り、或いは伸びるように変形し、また、連結部材６の移動側に部分はその先端が正面側に向かうように僅かに反り返り、或いは縮むように変形しやすい。このような連結部材６の変形が生じると、フィン５が完全に閉鎖する位置まで回動できず、途中で停止するため、不完全な閉鎖状態となり、フィン５の正面に段差が生じたり、隙間が生じたりする。
【００３７】
しかしながら、本レジスタは、閉鎖時に移動する際の連結部材６の移動側に位置する軸孔６ａのピッチ間隔Ｐ１が、フィン５のピッチ間隔Ｐより僅かに大きく設定され、連結部材６の反移動側に位置する軸孔６ａのピッチ間隔Ｐ２が、フィン５のピッチ間隔Ｐより僅かに小さく設定されるから、連結部材６に上記のような寸法誤差が生じている場合であっても、或は、操作ノブ７によりフィン５及び操作フィン１５を閉鎖側に回動した際、連結部材６にかかる荷重により連結部材６に反り、伸び、或いは縮みなどの変形が生じたとしても、各フィン５は、連結部材６の押し込み動作と引き込み動作により、完全に閉鎖する位置まで回動することができる。そして、ストッパピン５ｅが凸部３ｂに続くバレル１の段差部に当って停止した状態で、連結部材６は各フィン５を閉鎖位置に押し込んだ状態となる。したがって、連結部材６の製造時の寸法のばらつき、作動時の反り、伸び、或は縮みに拘らず、閉鎖時には、全てのフィン５，１５を平板状に且つ隙間なく閉鎖して空気吹出し口１０を良好に閉じることができる。
【００３８】
なお、上記実施形態の連結部材６は、軸孔６ａを所定のピッチ間隔で形成し、それらの軸孔６ａに各フィン５と操作フィン１５の連結軸５ｄを嵌合して連結したが、フィン側に軸孔を設け、連結部材側に連結軸を突設して、両者を連結することもできる。
【図面の簡単な説明】
【００３９】
【図１】本発明の一実施形態を示すレジスタの正面図である。
【図２】同レジスタのII-II断面図である。
【図３】同レジスタのIII-III断面図である。
【図４】同レジスタのIV-IV断面図である。
【図５】各フィンを開放した状態の正面図である。
【図６】図５のVI-VI断面図である。
【図７】レジスタの分解斜視図である。
【図８】各フィンのピッチ間隔と連結部材の軸孔のピッチ間隔を示す斜視図である。
【図９】フィンの斜視図である。
【図１０】操作ノブ７付きの操作フィン１５の斜視図である。
【図１１】軸受部材３の斜視図である。
【図１２】（ａ）と（ｂ）はフィンの開放時と閉鎖時の状態及び連結部材の動きを示す説明図である。
【図１３】フィンを傾斜方向に回動した状態の図２に対応した断面図である。
【符号の説明】
【００４０】
１  バレル
１ａ  回動軸
２  リテーナ
３  軸受部材
３ａ  軸孔
３ｂ  凸部（係合部）
５  フィン
５ａ  回動軸
５ｄ  連結軸
５ｅ  ストッパピン
６  連結部材
７  操作ノブ
１０  空気吹出口
１５  操作フィン
【図１】
2007191100.tif 000003
【図２】
2007191100.tif 000004
【図３】
2007191100.tif 000005
【図４】
2007191100.tif 000006
【図５】
2007191100.tif 000007
【図６】
2007191100.tif 000008
【図７】
2007191100.tif 000009
【図８】
2007191100.tif 000010
【図９】
2007191100.tif 000011
【図１０】
2007191100.tif 000012
【図１１】
2007191100.tif 000013
【図１２】
2007191100.tif 000014
【図１３】
2007191100.tif 000015